(57)【特許請求の範囲】
【請求項１】
被写体の光画像を記録または再生する電子カメラにおいて、
前記被写体の光画像を対応する画像データに変換する変換手段と、
前記変換手段により得られた画像データを記録する記録手段と、
前記記録手段に記録されている所望の画像データを読み出す読み出し手段と、
前記読み出し手段により読み出された前記画像データを印刷する所望のプリンタを選択する選択手段と、
前記読み出し手段により読み出された前記画像データに対して、前記選択手段により選択されたプリンタに対応する画像処理を施す処理手段と、
前記処理手段により画像処理が施された前記画像データを、前記選択手段により選択されたプリンタに対して出力する出力手段と
を備えることを特徴とする電子カメラ。
【請求項２】
前記記録手段が前記画像データを記録する際に、撮影環境に関する情報を取得する取得手段と、
前記取得手段により取得された前記撮影環境に関する情報を記録する第２の記録手段と、
前記第２の記録手段に記録された前記撮影環境に関する情報に応じて、前記画像データに対して所定の画像処理を施す第２の処理手段を更に備える
ことを特徴とする請求項１に記載の電子カメラ。
【請求項３】
前記処理手段は、前記選択手段により選択されたプリンタの印刷媒体に応じた画像処理を更に行う
ことを特徴とする請求項１または２に記載の電子カメラ。
【請求項４】
被写体の光画像を記録または再生する電子カメラの制御方法において、
被写体の光画像を対応する画像データに変換し、
得られた画像データを記録し、
記録されている所定の画像データを読み出し、
読み出された前記画像データを印刷するプリンタを選択し、
読み出された前記所定の画像データに対して、選択されたプリンタに応じた画像処理を施し、
画像処理が施された前記画像データを、選択されたプリンタに対して出力する
ことを特徴とする電子カメラの制御方法。
【請求項５】
被写体の光画像を記録または再生する電子カメラにおいて使用される制御プログラムを記録した記録媒体において、
被写体の光画像を対応する画像データに変換し、
得られた画像データを記録し、
記録されている所定の画像データを読み出し、
読み出された前記画像データを印刷するプリンタを選択し、
読み出された前記所定の画像データに対して、選択されたプリンタに応じた画像処理を施し、
画像処理が施された前記画像データを、選択されたプリンタに対して出力する制御プログラムを記録したことを特徴とする記録媒体。
【請求項６】
プリンタを接続可能であり、記録された被写体の画像データを前記プリンタに出力する電子カメラにおいて、
被写体の光画像を対応する画像データに変換する変換手段と、
前記変換手段により得られた画像データを記録する記録手段と、
前記記録手段に記録されている所望の画像データを読み出す読み出し手段と、
前記読み出し手段により読み出された前記画像データに基づく画像を表示する表示手段と、
前記読み出し手段により読み出された前記画像データを印刷するプリンタを選択する選択手段と、
前記選択手段により選択されたプリンタに印刷される画像と、前記表示手段に表示される画像の色の見えが同じになるように処理を施す処理手段と
を備えることを特徴とする電子カメラ。
【請求項７】
前記処理手段を制御する制御手段を更に備え、
前記制御手段は、前記電子カメラの動作モードに応じて前記処理手段に処理を実行させる
ことを特徴とする請求項６に記載の電子カメラ。
【請求項８】
前記表示手段の視環境に関する情報を入力する入力手段を更に備え、
前記処理手段は、前記入力手段から入力された前記視環境に関する情報に応じて、処理を更に施す
ことを特徴とする請求項６または７に記載の電子カメラ。
【請求項９】
プリンタを接続可能であり、記録された被写体の画像データを前記プリンタに出力する電子カメラの制御方法において、
被写体の光画像を対応する画像データに変換し、
得られた画像データを記録し、
記録されている画像データの中から所望の画像データを読み出し、
読み出された前記画像データに基づく画像を表示装置に表示し、
読み出された前記画像データを印刷するプリンタを選択し、
選択されたプリンタに印刷される画像と、前記表示装置に表示される画像の色の見えが同じになるように処理を施す
ことを特徴とする電子カメラの制御方法。
【請求項１０】
プリンタを接続可能であり、記録された被写体の画像データを前記プリンタに出力する電子カメラの制御プログラムを記録した記録媒体において、
被写体の光画像を対応する画像データに変換し、
得られた画像データを記録し、
記録されている画像データの中から所望の画像データを読み出し、
読み出された前記画像データに基づく画像を表示装置に表示し、
読み出された前記画像データを印刷するプリンタを選択し、
選択されたプリンタに印刷される画像と、前記表示装置に表示される画像の色の見えが同じになるように処理を施す制御プログラムを記録したことを特徴とする記録媒体。
【請求項１１】
被写体の光画像を記録または再生する電子カメラにおいて、
前記被写体の光画像を対応する画像データに変換する変換手段と、
前記被写体が撮影された際の撮影環境データを取得する取得手段と、
前記変換手段により得られた画像データに前記取得手段により得られた撮影環境データを関連づけて記録する記録手段と、
所望の撮影環境データが入力される入力手段と、
前記入力手段から入力された撮影環境データに対応する画像データを検索する検索手段と、
前記検索手段によって検索された前記画像データをプリンタに出力する出力手段と
を備えることを特徴とする電子カメラ。
【請求項１２】
被写体の光画像を記録または再生することが可能な電子カメラの制御方法において、
被写体の光画像を対応する画像データに変換し、
前記被写体が撮影された際の撮影環境データを取得し、
変換により得られた画像データに前記撮影環境データを関連づけて記録し、
所望の撮影環境データが入力され、
入力された撮影環境データに対応する画像データを検索し、
検索された前記画像データをプリンタに出力する
ことを特徴とする電子カメラの制御方法。
【請求項１３】
被写体の光画像を記録または再生することが可能な電子カメラにおいて使用される制御プログラムを記録した記録媒体において、
被写体の光画像を対応する画像データに変換し、
前記被写体が撮影された際の撮影環境データを取得し、
変換により得られた画像データに前記撮影環境データを関連づけて記録し、
所望の撮影環境データが入力され、
入力された撮影環境データに対応する画像データを検索し、
検索された前記画像データをプリンタに出力する制御プログラムを記録したことを特徴とする記録媒体。
【発明の詳細な説明】
【０００１】
【発明の属する技術分野】
本発明は、電子カメラ、電子カメラの制御方法、および、記録媒体に関し、特に、撮影した被写体の画像をプリンタなどの周辺機器に対して出力可能な、電子カメラ、電子カメラの制御方法、および、記録媒体に関する。
【０００２】
【従来の技術】
従来の電子カメラにおいて、撮影された画像を印刷する際には、カラーＬＣＤ（Liquid Crystal Display）等に印刷しようとする画像を一旦表示して確認した後に、例えば、カラープリンタなどにより印刷するようになされていた。
【０００３】
【発明が解決しようとする課題】
ところで、ある画像データを前述のカラーＬＣＤに表示した場合の色のみえと、カラープリンタにより印刷した場合の色のみえは、必ずしも一致するとは限らない。例えば、カラープリンタなどでは、使用するインクの種類や、記録紙の種類によっても、色のみえが若干異なることになる。その結果、ＬＣＤに表示されている画像とプリントアウトされた画像の間で色のみえが異なる場合が生ずるという課題があった。
【０００４】
また、電子カメラでは、逆光の状態で撮影された画像や、フラッシュが使用されて撮影された画像を、例えば、プリンタなどにより印刷する場合には、印刷された画像が被写体の本来の色のみえとは異なる場合があるという課題があった。
【０００５】
本発明は、以上のような状況に鑑みてなされたものであり、電子カメラにより撮影された画像を、プリンタやＬＣＤなどに対して表示出力する場合に、各表示装置の間で色のみえが異なることを防止するものである。
【０００６】
【課題を解決するための手段】
請求項１に記載の電子カメラは、被写体の光画像を対応する画像データに変換する変換手段と、変換手段により得られた画像データを記録する記録手段と、記録手段に記録されている所望の画像データを読み出す読み出し手段と、読み出し手段により読み出された画像データを印刷する所望のプリンタを選択する選択手段と、読み出し手段により読み出された画像データに対して、選択手段により選択されたプリンタに対応する画像処理を施す処理手段と、処理手段により画像処理が施された画像データを、選択手段により選択されたプリンタに対して出力する出力手段とを備えることを特徴とする。
【０００７】
請求項４に記載の電子カメラの制御方法は、被写体の光画像を対応する画像データに変換し、得られた画像データを記録し、記録されている所定の画像データを読み出し、読み出された画像データを印刷するプリンタを選択し、読み出された所定の画像データに対して、選択されたプリンタに応じた画像処理を施し、画像処理が施された画像データを、選択されたプリンタに対して出力することを特徴とする。
【０００８】
請求項５に記載の記録媒体は、被写体の光画像を対応する画像データに変換し、得られた画像データを記録し、記録されている所定の画像データを読み出し、読み出された画像データを印刷するプリンタを選択し、読み出された所定の画像データに対して、選択されたプリンタに応じた画像処理を施し、画像処理が施された画像データを、選択されたプリンタに対して出力する制御プログラムを記録したことを特徴とする。
【０００９】
請求項６に記載の電子カメラは、被写体の光画像を対応する画像データに変換する変換手段と、変換手段により得られた画像データを記録する記録手段と、記録手段に記録されている所望の画像データを読み出す読み出し手段と、読み出し手段により読み出された画像データに基づく画像を表示する表示手段と、読み出し手段により読み出された画像データを印刷するプリンタを選択する選択手段と、選択手段により選択されたプリンタに印刷される画像と、表示手段に表示される画像の色の見えが同じになるように処理を施す処理手段とを備えることを特徴とする。
【００１０】
請求項９に記載の電子カメラの制御方法は、被写体の光画像を対応する画像データに変換し、得られた画像データを記録し、記録されている画像データの中から所望の画像データを読み出し、読み出された画像データに基づく画像を表示装置に表示し、読み出された画像データを印刷するプリンタを選択し、選択されたプリンタに印刷される画像と、表示装置に表示される画像の色の見えが同じになるように処理を施すことを特徴とする。
【００１１】
請求項１０に記載の記録媒体は、被写体の光画像を対応する画像データに変換し、得られた画像データを記録し、記録されている画像データの中から所望の画像データを読み出し、読み出された画像データに基づく画像を表示装置に表示し、読み出された画像データを印刷するプリンタを選択し、選択されたプリンタに印刷される画像と、表示装置に表示される画像の色の見えが同じになるように処理を施す制御プログラムを記録したことを特徴とする。
【００１２】
請求項１１に記載の電子カメラは、被写体の光画像を対応する画像データに変換する変換手段と、被写体が撮影された際の撮影環境データを取得する取得手段と、変換手段により得られた画像データに取得手段により得られた撮影環境データを関連づけて記録する記録手段と、所望の撮影環境データが入力される入力手段と、入力手段から入力された撮影環境データに対応する画像データを検索する検索手段と、検索手段によって検索された画像データをプリンタに出力する出力手段とを備えることを特徴とする。
【００１３】
請求項１２に記載の電子カメラの制御方法は、被写体の光画像を対応する画像データに変換し、被写体が撮影された際の撮影環境データを取得し、変換により得られた画像データに撮影環境データを関連づけて記録し、所望の撮影環境データが入力され、入力された撮影環境データに対応する画像データを検索し、検索された画像データをプリンタに出力することを特徴とする。
【００１４】
請求項１３に記載の記録媒体は、被写体の光画像を対応する画像データに変換し、被写体が撮影された際の撮影環境データを取得し、変換により得られた画像データに撮影環境データを関連づけて記録し、所望の撮影環境データが入力され、入力された撮影環境データに対応する画像データを検索し、検索された画像データをプリンタに出力する制御プログラムを記録したことを特徴とする。
【００１５】
【発明の実施の形態】
以下、本発明の実施の形態を図面を参照して説明する。
【００１６】
図１及び図２は、本発明を適用した電子カメラの一実施の形態の構成を示す斜視図である。本実施の形態の電子カメラにおいては、被写体を撮影する場合において、被写体に向けられる面が面Ｘ１とされ、ユーザ側に向けられる面が面Ｘ２とされている。面Ｘ１の上端部には、被写体の撮影範囲の確認に用いられるファインダ２、被写体の光画像を取り込む撮影レンズ３、及び被写体を照明する光を発光する発光部（ストロボ）４が設けられている。
【００１７】
さらに、面Ｘ１には、ストロボ４を発光させて撮影を行うときに、ストロボ４を発光させる前に発光させて赤目を軽減する赤目軽減ランプ１５、ＣＣＤ２０（図４：変換手段）の動作を停止させているときに測光を行う測光素子１６（入力手段）、および、ＣＣＤ２０の動作を停止させているときに測色を行う測色素子１７（入力手段）が設けられている。
【００１８】
一方、面Ｘ１に対向する面Ｘ２の上端部（面Ｘ１のファインダ２、操作レンズ３、発光部４が形成されている上端部に対応する位置）には、上記ファインダ２、及びこの電子カメラ１に記録されている音声を出力するスピーカ５が設けられている。また、面Ｘ２に形成されているＬＣＤ６及び操作キー７は、ファインダ２、撮影レンズ３、発光部４及びスピーカ５よりも、鉛直下側に形成されている。ＬＣＤ６の表面上には、後述するペン型指示装置の接触操作により、指示された位置に対応する位置データを出力する、いわゆるタッチタブレット６Ａ（選択手段、入力手段）が配置されている。
【００１９】
このタッチタブレット６Ａは、ガラス、樹脂等の透明な材料によって構成されており、ユーザは、タッチタブレット６Ａの内側に形成されているＬＣＤ６に表示される画像を、タッチタブレット６Ａを介して観察することができる。
【００２０】
操作キー７は、ＬＣＤ６に記録データを再生表示する場合などに操作されるキーであり、ユーザによる操作（入力）を検知し、ＣＰＵ３９（図６：読み出し手段、処理手段、出力手段、取得手段、第２の処理手段、制御手段、検索手段）に供給するようになされている。
【００２１】
操作キー７のうちのメニューキー７Ａは、ＬＣＤ６上にメニュー画面を表示する場合に操作されるキーである。実行キー７Ｂは、ユーザによって選択された記録情報を再生する場合に操作されるキーである。
【００２２】
クリアキー７Ｃは、記録した情報を削除する場合に操作されるキーである。キャンセルキー７Ｄは、記録情報の再生処理を中断する場合に操作されるキーである。スクロールキー７Ｅは、ＬＣＤ６に記録情報の一覧が表示されている場合において、画面を上下方向にスクロールさせるときに操作されるキーである。
【００２３】
面Ｘ２には、ＬＣＤ６を使用していないときに保護する、しゅう動自在なＬＣＤカバー１４が設けられている。ＬＣＤカバー１４は、鉛直上方向に移動させた場合、図３に示すように、ＬＣＤ６及びタッチタブレット６Ａを覆うようになされている。また、ＬＣＤカバー１４を鉛直下方向に移動した場合、ＬＣＤ６及びタッチタブレット６Ａが現れるとともに、ＬＣＤカバー１４の腕部１４Ａによって、面Ｙ２に配置された電源スイッチ１１（後述）がオン状態に切り換えられるようになされている。
【００２４】
この電子カメラ１の上面である面Ｚには、音声を集音するマイクロホン８、及び図示せぬイヤホンが接続されるイヤホンジャック９が設けられている。
【００２５】
左側面（面Ｙ１）には、被写体を撮像するときに操作されるレリーズスイッチ１０と、撮影時の連写モードを切り換えるときに操作される連写モード切り換えスイッチ１３と、後述するプリンタに接続するためのプリンタ接続端子１８が設けられている。このレリーズスイッチ１０及び連写モード切り換えスイッチ１３は、面Ｘ１の上端部に設けられているファインダ２、撮影レンズ３及び発光部４よりも鉛直下側に配置されている。
【００２６】
一方、面Ｙ１に対向する面Ｙ２（右側面）には、音声を録音するときに操作される録音スイッチ１２と、電源スイッチ１１が設けられている。この録音スイッチ１２及び電源スイッチ１１は、上記レリーズスイッチ１０及び連写モード切り換えスイッチ１３と同様に、面Ｘ１の上端部に設けられているファインダ２、撮影レンズ３及び発光部４よりも鉛直下側に配置されている。また、録音スイッチ１２は、面Ｙ１のレリーズスイッチ１０とほぼ同じ高さに形成されており、左右どちらの手で持っても、違和感のないように構成されている。
【００２７】
なお、録音スイッチ１２とレリーズスイッチ１０の高さを、あえて異ならせることにより、一方のスイッチを押す場合に、この押圧力によるモーメントを打ち消すために反対側の側面を指で保持したとき、誤ってこの反対側の側面に設けられたスイッチが押されてしまわないようにしてもよい。
【００２８】
上記連写モード切り換えスイッチ１３は、ユーザがレリーズスイッチ１０を押して被写体を撮影するとき、被写体を１コマだけ撮影するのか、または、所定の複数コマ撮影するのかを設定する場合に用いられる。例えば、連写モード切り換えスイッチ１３の指針が「Ｓ」と印刷された位置に切り換えられている（すなわち、Ｓモードに切り換えられている）場合において、レリーズスイッチ１０が押されると、１コマだけ撮影が行われるようになされている。
【００２９】
また、連写モード切り換えスイッチ１３の指針が「Ｌ」と印刷された位置に切り換えられている（すなわち、Ｌモードに切り換えられている）場合において、レリーズスイッチ１０が押されると、レリーズスイッチ１０の押されている期間中、１秒間に８コマの撮影が行われるようになされている（すなわち、低速連写モードになる）。
【００３０】
さらに、連写モード切り換えスイッチ１３の指針が「Ｈ」と印刷された位置に切り換えられている（すなわち、Ｈモードに切り換えられている）場合において、レリーズスイッチ１０が押されると、レリーズスイッチ１０の押されている期間中、１秒間に３０コマの撮影が行われるようになされている（すなわち、高速連写モードになる）。
【００３１】
次に、電子カメラ１の内部の構成について説明する。図４は、図１及び図２に示す電子カメラの内部の構成例を示す斜視図である。ＣＣＤ２０は、撮影レンズ３の後段（面Ｘ２側）に設けられており、撮影レンズ３を介して結像する被写体の光画像を電気信号に光電変換するようになされている。
【００３２】
ファインダ内表示素子２６は、ファインダ２の視野内に配置され、ファインダ２を介して被写体を視ているユーザに対して、各種機能の設定状態などを表示するようになされている。
【００３３】
ＬＣＤ６の鉛直下側には、円柱形状の４本のバッテリ（単３の乾電池）２１が縦に並べられており、このバッテリ２１に蓄積されている電力が各部に供給される。さらに、ＬＣＤ６の鉛直下側には、バッテリ２１とともに、発光部４に光を発光させるための電荷を蓄積しているコンデンサ２２が配置されている。
【００３４】
回路基板２３には、この電子カメラ１の各部を制御する、種々の制御回路が形成されている。また、回路基板２３と、ＬＣＤ６及びバッテリ２１の間には、挿抜可能なメモリカード２４（記録手段、第２の記録手段）が設けられており、この電子カメラ１に入力される各種の情報が、それぞれ、メモリカード２４の予め設定されている領域に記録される。
【００３５】
さらに、電源スイッチ１１に隣接して配置されているＬＣＤスイッチ２５は、その突起部が押圧されている間のみオン状態となるスイッチであり、ＬＣＤカバー１４を鉛直下方向に移動させた場合、図５（ａ）に示すように、ＬＣＤカバー１４の腕部１４Ａによって、電源スイッチ１１とともにオン状態に切り換えられるようになされている。
【００３６】
なお、ＬＣＤカバー１４が鉛直上方向に位置する場合、電源スイッチ１１は、ＬＣＤスイッチ２５とは独立に、ユーザによって操作される。例えば、ＬＣＤカバー１４が閉じられ、電子カメラ１が使用されていない場合、図５（ｂ）に示すように、電源スイッチ１１及びＬＣＤスイッチ２５がオフ状態になっている。この状態において、ユーザが電源スイッチ１１を図５（ｃ）に示すように、オン状態に切り換えると、電源スイッチ１１はオン状態となるが、ＬＣＤスイッチ２５は、オフ状態のままである。一方、図５（ｂ）に示すように、電源スイッチ１１及びＬＣＤスイッチ２５がオフ状態になっているとき、ＬＣＤカバー１４が開かれると、図５（ａ）に示すように、電源スイッチ１１及びＬＣＤスイッチ２５がオン状態となる。そして、この後、ＬＣＤカバー１４を閉じると、ＬＣＤスイッチ２５だけが、図５（ｃ）に示すように、オフ状態となる。
【００３７】
なお、本実施の形態においては、メモリカード２４は挿抜可能とされているが、回路基板２３上にメモリを設け、そのメモリに各種情報を記録可能とするようにしてもよい。また、メモリ（メモリカード２４）に記録されている各種情報を、図示せぬインタフェースを介して外部のパーソナルコンピュータに出力することができるようにしてもよい。
【００３８】
次に、本実施の形態の電子カメラ１の内部の電気的構成を、図６のブロック図を参照して説明する。複数の画素を備えているＣＣＤ２０は、各画素に結像した光画像を画像信号（電気信号）に光電変換するようになされている。デジタルシグナルプロセッサ（以下、ＤＳＰという）３３は、ＣＣＤ２０にＣＣＤ水平駆動パルスを供給するとともに、ＣＣＤ駆動回路３４を制御し、ＣＣＤ２０にＣＣＤ垂直駆動パルスを供給させるようになされている。
【００３９】
画像処理部３１は、ＣＰＵ３９に制御され、ＣＣＤ２０が光電変換した画像信号を所定のタイミングでサンプリングし、そのサンプリングした信号を、所定のレベルに増幅するようになされている。アナログ／デジタル変換回路（以下、Ａ／Ｄ変換回路という）３２は、画像処理部３１でサンプリングした画像信号をデジタル化してＤＳＰ３３に供給するようになされている。
【００４０】
ＤＳＰ３３は、バッファメモリ３６およびメモリカード２４に接続されるデータバスを制御し、Ａ／Ｄ変換回路３２より供給された画像データをバッファメモリ３６に一旦記憶させた後、バッファメモリ３６に記憶した画像データを読み出し、その画像データを、メモリカード２４に記録するようになされている。
【００４１】
また、ＤＳＰ３３は、Ａ／Ｄ変換回路３２より供給された画像データをフレームメモリ３５に記憶させ、ＬＣＤ６に表示させるとともに、メモリカード２４から撮影画像データを読み出し、その撮影画像データを伸張した後、伸張後の画像データをフレームメモリ３５に記憶させ、ＬＣＤ６に表示させるようになされている。
【００４２】
さらに、ＤＳＰ３３は、電子カメラ１の起動時において、ＣＣＤ２０の露光レベルが適正な値になるまで、露光時間（露出値）を調節しながら、ＣＣＤ２０を繰り返し動作させるようになされている。このとき、ＤＳＰ３３が、最初に、測光回路５１を動作させ、測光素子１６により検出された受光レベルに対応して、ＣＣＤ２０の露光時間の初期値を算出するようにしてもよい。このようにすることにより、ＣＣＤ２０の露光時間の調節を短時間で行うことができる。
【００４３】
この他、ＤＳＰ３３は、メモリカード２４への記録、伸張後の画像データのバッファメモリ３６への記憶などにおけるデータ入出力のタイミング管理を行うようになされている。
【００４４】
バッファメモリ３６は、メモリカード２４に対するデータの入出力の速度と、ＣＰＵ３９やＤＳＰ３３などにおける処理速度の違いを緩和するために利用される。
【００４５】
マイクロホン８は、音声情報を入力し（音声を集音し）、その音声情報をＡ／ＤおよびＤ／Ａ変換回路４２に供給するようになされている。
【００４６】
Ａ／ＤおよびＤ／Ａ変換回路４２は、マイクロホン８により検出された音声に対応するアナログ信号をデジタル信号に変換した後、そのデジタル信号をＣＰＵ３９に出力するとともに、ＣＰＵ３９より供給された音声データをアナログ化し、アナログ化した音声信号をスピーカ５に出力するようになされている。
【００４７】
測光素子１６は、被写体およびその周囲の光量を測定し、その測定結果を測光回路５１に出力するようになされている。
【００４８】
測光回路５１は、測光素子１６より供給された測光結果であるアナログ信号に対して所定の処理を施した後、デジタル信号に変換し、そのデジタル信号をＣＰＵ３９に出力するようになされている。
【００４９】
測色素子１７は、被写体およびその周囲の色温度を測定し、その測定結果を測色回路５２に出力するようになされている。
【００５０】
測色回路５２は、測色素子１７より供給された測色結果であるアナログ信号に対して所定の処理を施した後、デジタル信号に変換し、そのデジタル信号をＣＰＵ３９に出力するようになされている。
【００５１】
タイマ４５は、時計回路を内蔵し、現在の時刻に対応するデータをＣＰＵ３９に出力するようになされている。
【００５２】
絞り駆動回路５３は、絞り５４の開口径を所定の値に設定するようになされている。
【００５３】
絞り５４は、撮影レンズ３とＣＣＤ２０の間に配置され、撮影レンズ３からＣＣＤ２０に入射する光の開口を変更するようになされている。
【００５４】
ＣＰＵ３９は、ＬＣＤスイッチ２５からの信号に応じて、ＬＣＤカバー１４が開いているときにおいては、測光回路５１および測色回路５２の動作を停止させ、ＬＣＤカバー１４が閉じているときにおいては、測光回路５１および測色回路５２を動作させるとともに、レリーズスイッチ１０が半押し状態になるまで、ＣＣＤ２０の動作（例えば電子シャッタ動作）を停止させるようになされている。
【００５５】
ＣＰＵ３９は、ＣＣＤ２０の動作を停止させているとき、測光回路５１および測色回路５２を制御し、測光素子１６の測光結果を受け取るとともに、測色素子１７の測色結果を受け取るようになされている。
【００５６】
そして、ＣＰＵ３９は、所定のテーブルを参照して、測色回路５２より供給された色温度に対応するホワイトバランス調整値を算出し、そのホワイトバランス調整値を画像処理部３１に供給するようになされている。
【００５７】
即ち、ＬＣＤカバー１４が閉じているときにおいては、ＬＣＤ６が電子ビューファインダとして使用されないので、ＣＣＤ２０の動作を停止させるようにする。ＣＣＤ２０は多くの電力を消費するので、このようにＣＣＤ２０の動作を停止させることにより、バッテリ２１の電力を節約することができる。
【００５８】
また、ＣＰＵ３９は、ＬＣＤカバー１４が閉じているとき、レリーズスイッチ１０が操作されるまで（レリーズスイッチ１０が半押し状態になるまで）、画像処理部３１が各種処理を行わないように、画像処理部３１を制御するようになされている。
【００５９】
さらに、ＣＰＵ３９は、ＬＣＤカバー１４が閉じているとき、レリーズスイッチ１０が操作されるまで（レリーズスイッチ１０が半押し状態になるまで）、絞り駆動回路５３が絞り５４の開口径を変更などの動作を行わないように、絞り駆動回路５３を制御するようになされている。
【００６０】
ＣＰＵ３９は、ストロボ駆動回路３７を制御して、ストロボ４を適宜発光させるようになされている他、赤目軽減ランプ駆動回路３８を制御して、ストロボ４を発光させる前に、赤目軽減ランプ１５を適宜発光させるようになされている。
【００６１】
なお、ＣＰＵ３９は、ＬＣＤカバー１４が開いているとき（即ち、電子ビューファインダが利用されているとき）においては、ストロボ４を発光させないようにする。このようにすることにより、電子ビューファインダに表示されている画像の状態で、被写体を撮影することができる。
【００６２】
ＣＰＵ３９は、タイマ４５より供給される日時データに従って、撮影した日時の情報を画像データのヘッダ情報として、メモリカード２４の撮影画像記録領域に記録するようになされている。（すなわち、メモリカード２４の撮影画像記録領域に記録される撮影画像データには、撮影日時のデータが付随している）。
【００６３】
また、ＣＰＵ３９は、デジタル化された音声情報を圧縮した後、デジタル化及び圧縮化された音声データを一旦、バッファメモリ３６に記憶させた後、メモリカード２４の所定の領域（音声記録領域）に記録するようになされている。また、このとき、メモリカード２４の音声記録領域には、録音日時のデータが音声データのヘッダ情報として記録されるようになされている。
【００６４】
ＣＰＵ３９は、レンズ駆動回路３０を制御し、撮影レンズ３を移動させることにより、オートフォーカス動作を行う他、絞り駆動回路５３を制御して、撮影レンズ３とＣＣＤ２０の間に配置されている絞り５４の開口径を変更させるようになされている。
【００６５】
さらに、ＣＰＵ３９は、ファインダ内表示回路４０を制御して、各種動作における設定などをファインダ内表示素子２６に表示させるようになされている。
【００６６】
ＣＰＵ３９は、インタフェース（Ｉ／Ｆ）４８を介して、外部のプリンタなどとの間でデータの授受を行うようになされている。
【００６７】
また、ＣＰＵ３９は、操作キー７からの信号を受け取り、適宜処理するようになされている。
【００６８】
ユーザの操作するペン（ペン型指示部材）４１によってタッチタブレット６Ａの所定の位置が押圧されると、ＣＰＵ３９は、タッチタブレット６Ａの押圧された位置のＸ−Ｙ座標を読み取り、その座標データ（後述する線画情報）を、バッファメモリ３６に蓄積するようになされている。また、ＣＰＵ３９は、バッファメモリ３６に蓄積した線画情報を、線画情報入力日時のヘッダ情報とともに、メモリカード２４の線画情報記録領域に記録するようになされている。
【００６９】
次に、本実施の形態の電子カメラ１の各種動作について説明する。最初に、本装置のＬＣＤ６における電子ビューファインダ動作について説明する。
【００７０】
ユーザがレリーズスイッチ１０を半押し状態にすると、ＤＳＰ３３は、ＣＰＵ３９より供給される、ＬＣＤスイッチ２５の状態に対応する信号の値から、ＬＣＤカバー１４が開いているか否かを判断し、ＬＣＤカバー１４が閉じていると判断した場合、電子ビューファインダ動作を行わない。この場合、ＤＳＰ３３は、レリーズスイッチ１０が操作されるまで、処理を停止する。
【００７１】
なお、ＬＣＤカバー１４が閉じている場合、電子ビューファインダ動作を行わないので、ＣＰＵ３９は、ＣＣＤ２０、画像処理部３１、および、絞り駆動回路５３の動作を停止させる。そして、ＣＰＵ３９は、ＣＣＤ２０を停止させる代わりに、測光回路５１および測色回路５２を動作させ、それらの測定結果を、画像処理部３１に供給する。画像処理部３１は、それらの測定結果の値を、ホワイトバランス制御や輝度値の制御を行うときに利用する。
【００７２】
また、レリーズスイッチ１０が操作された場合、ＣＰＵ３９は、ＣＣＤ２０および絞り駆動回路５３の動作を行わせる。
【００７３】
一方、ＬＣＤカバー１４が開いている場合、ＣＣＤ２０は、所定の時間毎に、所定の露光時間で、電子シャッタ動作を行い、撮影レンズ３によって集光された被写体の光画像を光電変換し、その動作で得られた画像信号を画像処理部３１に出力する。
【００７４】
画像処理部３１は、ホワイトバランス制御および輝度値の制御を行い、その画像信号に対して所定の処理を施した後、画像信号をＡ／Ｄ変換回路３２に出力する。なお、ＣＣＤ２０が動作しているときは、画像処理部３１は、ＣＰＵ３９により、ＣＣＤ２０の出力を利用して算出された、ホワイトバランス制御および輝度値の制御に利用される調整値を利用する。
【００７５】
そして、Ａ／Ｄ変換回路３２は、その画像信号（アナログ信号）を、デジタル信号である画像データに変換し、その画像データをＤＳＰ３３に出力する。
【００７６】
ＤＳＰ３３は、その画像データをフレームメモリ３５に出力し、ＬＣＤ６にその画像データに対応する画像を表示させる。
【００７７】
このように、電子カメラ１においては、ＬＣＤカバー１４が開いている場合、所定の時間間隔で、ＣＣＤ２０が電子シャッタ動作し、その度に、ＣＣＤ２０から出力された信号を画像データに変換し、その画像データをフレームメモリ３５に出力して、ＬＣＤ６に被写体の画像を絶えず表示させることで、電子ビューファインダ動作を行う。
【００７８】
また、上述のように、ＬＣＤカバー１４が閉じている場合においては、電子ビューファインダ動作を行わず、ＣＣＤ２０、画像処理部３１、および、絞り駆動回路５３の動作を停止させ、消費電力を節約している。
【００７９】
次に、本装置による被写体の撮影について説明する。
【００８０】
第１に、面Ｙ１に設けられている連写モード切り換えスイッチ１３が、Ｓモード（１コマだけ撮影を行うモード）に切り換えられている場合について説明する。最初に、図１に示す電源スイッチ１１を「ＯＮ」と印刷されている側に切り換えて電子カメラ１に電源を投入する。ファインダ２で被写体を確認し、面Ｙ１に設けられているレリーズスイッチ１０を押すと、被写体の撮影処理が開始される。
【００８１】
なお、ＬＣＤカバー１４が閉じられている場合、ＣＰＵ３９は、レリーズスイッチ１０が半押し状態になったとき、ＣＣＤ２０、画像処理部３１、および、絞り駆動回路５３の動作を再開させて、レリーズスイッチ１０が全押し状態になったとき、被写体の撮影処理を開始させる。
【００８２】
ファインダ２で観察される被写体の光画像が撮影レンズ３によって集光され、複数の画素を備えるＣＣＤ２０に結像する。ＣＣＤ２０に結像した被写体の光画像は、各画素で画像信号に光電変換され、画像処理部３１によってサンプリングされる。画像処理部３１によってサンプリングされた画像信号は、Ａ／Ｄ変換回路３２に供給され、そこでデジタル化されてＤＳＰ３３に出力される。
【００８３】
ＤＳＰ３３は、その画像データをバッファメモリ３６に一旦出力した後、バッファメモリ３６より、その画像データを読み出し、離散的コサイン変換、量子化及びハフマン符号化を組み合わせたＪＰＥＧ（Joint Photographic Experts Group）方式に従って圧縮し、メモリカード２４の撮影画像記録領域に記録させる。このとき、メモリカード２４の撮影画像記録領域には、撮影日時のデータが、撮影画像データのヘッダ情報として記録される。更に、撮影時の環境を示す撮影環境に関する情報も、メモリカード２４に記録される。なお、撮影環境に関する情報は、例えば、ストロボが使用されたか否かを示す情報や、逆光であるか否かを示す情報などである。
【００８４】
なお、連写モード切り換えスイッチ１３がＳモードに切り換えられている場合においては、１コマの撮影だけが行われ、レリーズスイッチ１０が継続して押されても、それ以降の撮影は行われない。また、レリーズスイッチ１０が継続して押されると、ＬＣＤカバー１４が開いている場合、ＬＣＤ６に、撮影した画像が表示される。
【００８５】
第２に、連写モード切り換えスイッチ１３がＬモード（１秒間に８コマの連写を行うモード）に切り換えられている場合について説明する。電源スイッチ１１を「ＯＮ」と印刷されている側に切り換えて電子カメラ１に電源を投入し、面Ｙ１に設けられているレリーズスイッチ１０を押すと、被写体の撮影処理が開始される。
【００８６】
なお、ＬＣＤカバー１４が閉じられている場合、ＣＰＵ３９は、レリーズスイッチ１０が半押し状態になったとき、ＣＣＤ２０、画像処理部３１、および、絞り駆動回路５３の動作を再開させて、レリーズスイッチ１０が全押し状態になったとき、被写体の撮影処理を開始させる。
【００８７】
ファインダ２で観察される被写体の光画像が撮影レンズ３によって集光され、複数の画素を備えるＣＣＤ２０に結像する。ＣＣＤ２０に結像した被写体の光画像は、各画素で画像信号に光電変換され、画像処理部３１によって１秒間に８回の割合でサンプリングされる。また、このとき、画像処理部３１は、ＣＣＤ２０の全画素の画像電気信号のうち４分の３の画素を間引く。
【００８８】
すなわち、画像処理部３１は、マトリクス状に配列されているＣＣＤ２０の画素を、図７に示すように、２×２画素（４つの画素）を１つとする領域に分割し、その１つの領域から、所定の位置に配置されている１画素の画像信号をサンプリングし、残りの３画素を間引く。
【００８９】
例えば、第１回目のサンプリング時（１コマ目）においては、各領域の左上の画素ａがサンプリングされ、その他の画素ｂ，ｃ，ｄが間引かれる。第２回目のサンプリング時（２コマ目）においては、各領域の右上の画素ｂがサンプリングされ、その他の画素ａ，ｃ，ｄが間引かれる。以下、第３回目、第４回目のサンプリング時においては、左下の画素ｃ、右下の画素ｄが、それぞれ、サンプリングされ、その他の画素が間引かれる。つまり、４コマ毎に各画素がサンプリングされる。
【００９０】
画像処理部３１によってサンプリングされた画像信号（ＣＣＤ２０の全画素中の４分の１の画素の画像信号）は、Ａ／Ｄ変換回路３２に供給され、そこでデジタル化されてＤＳＰ３３に出力される。
【００９１】
ＤＳＰ３３は、デジタル化された画像信号をバッファメモリ３６に一旦出力した後、その画像信号を読み出し、ＪＰＥＧ方式に従って圧縮した後、デジタル化及び圧縮処理された撮影画像データを、メモリカード２４の撮影画像記録領域に記録する。このとき、メモリカード２４の撮影画像記録領域には、撮影日時のデータが、撮影画像データのヘッダ情報として記録される。
【００９２】
第３に、連写モード切り換えスイッチ１３がＨモード（１秒間に３０コマの連写を行うモード）に切り換えられている場合について説明する。電源スイッチ１１を「ＯＮ」と印刷されている側に切り換えて電子カメラ１に電源を投入し、面Ｙ１に設けられているレリーズスイッチ１０を押すと、被写体の撮影処理が開始される。
【００９３】
なお、ＬＣＤカバー１４が閉じられている場合、ＣＰＵ３９は、レリーズスイッチ１０が半押し状態になったとき、ＣＣＤ２０、画像処理部３１、および、絞り駆動回路５３の動作を再開させて、レリーズスイッチ１０が全押し状態になったとき、被写体の撮影処理を開始させる。
【００９４】
ファインダ２で観察される被写体の光画像が撮影レンズ３によって集光され、ＣＣＤ２０に結像する。複数の画素を備えるＣＣＤ２０に結像した被写体の光画像は、各画素で画像信号に光電変換され、画像処理部３１によって１秒間に３０回の割合でサンプリングされる。また、このとき、画像処理部３１は、ＣＣＤ２０の全画素の画像電気信号のうち９分の８の画素を間引く。
【００９５】
すなわち、画像処理部３１は、マトリクス状に配列されているＣＣＤ２０の画素を、図８に示すように、３×３画素を１つとする領域に分割し、その１つの領域から、所定の位置に配置されている１画素の画像電気信号を、１秒間に３０回の割合でサンプリングし、残りの８画素を間引く。
【００９６】
例えば、第１回目のサンプリング時（１コマ目）においては、各領域の左上の画素ａがサンプリングされ、その他の画素ｂ乃至ｉが間引かれる。第２回目のサンプリング時（２コマ目）においては、画素ａの右側に配置されている画素ｂがサンプリングされ、その他の画素ａ，ｃ乃至ｉが間引かれる。以下、第３回目以降のサンプリング時においては、画素ｃ、画素ｄ・・・が、それぞれ、サンプリングされ、その他の画素が間引かれる。つまり、９コマ毎に各画素がサンプリングされる。
【００９７】
画像処理部３１によってサンプリングされた画像信号（ＣＣＤ２０の全画素中の９分の１の画素の画像信号）は、Ａ／Ｄ変換回路３２に供給され、そこでデジタル化されてＤＳＰ３３に出力される。
【００９８】
ＤＳＰ３３は、デジタル化された画像信号をバッファメモリ３６に一旦出力した後、その画像信号を読み出し、ＪＰＥＧ方式に従って圧縮した後、デジタル化及び圧縮処理された撮影画像データを、撮影日時のヘッダ情報を付随して、メモリカード２４の撮影画像記録領域に記録する。
【００９９】
なお、必要に応じて、ストロボ４を動作させ、被写体に光を照射させることもできる。ただし、ＬＣＤカバー１４が開いているとき、即ち、ＬＣＤ６が電子ビューファインダ動作を行っているとき、ＣＰＵ３９は、ストロボ４を、発光させないように制御する。
【０１００】
次に、タッチタブレット６Ａから２次元の情報（ペン入力情報）を入力する場合の動作について説明する。
【０１０１】
タッチタブレット６Ａがペン４１のペン先で押圧されると、接触した箇所のＸ−Ｙ座標が、ＣＰＵ３９に入力される。このＸ−Ｙ座標は、バッファメモリ３６に記憶される。また、フレームメモリ３５における上記Ｘ−Ｙ座標の各点に対応した箇所にデータを書き込み、ＬＣＤ６における上記Ｘ−Ｙ座標に、ペン４１の接触に対応した線画を表示させることができる。
【０１０２】
上述したように、タッチタブレット６Ａは、透明部材によって構成されているので、ユーザは、ＬＣＤ６上に表示される点（ペン４１のペン先で押圧された位置の点）を観察することができ、あたかもＬＣＤ６上に直接ペン入力をしたかのように感じることができる。また、ペン４１をタッチタブレット６Ａ上で移動させると、ＬＣＤ６上には、ペン４１の移動に伴う線が表示される。さらに、ペン４１をタッチタブレット６Ａ上で断続的に移動させると、ＬＣＤ６上には、ペン４１の移動に伴う破線が表示される。以上のようにして、ユーザは、タッチタブレット６Ａ（ＬＣＤ６）に所望の文字、図形等の線画情報を入力する。
【０１０３】
また、ＬＣＤ６上に撮影画像が表示されている場合において、ペン４１によって線画情報が入力されると、この線画情報が、撮影画像情報とともに、フレームメモリ３５で合成され、ＬＣＤ６上に同時に表示される。
【０１０４】
なお、ユーザは、図示せぬ色選択スイッチを操作することによって、ＬＣＤ６上に表示される線画の色を、黒、白、赤、青等の色から選択することができる。
【０１０５】
ペン４１によるタッチタブレット６Ａへの線画情報の入力後、操作キー７の実行キー７Ｂが押されると、バッファメモリ３６に蓄積されている線画情報が、入力日時のヘッダ情報とともにメモリカード２４に供給され、メモリカード２４の線画情報記録領域に記録される。
【０１０６】
なお、メモリカード２４に記録される線画情報は、圧縮処理の施された情報である。タッチタブレット６Ａに入力された線画情報は空間周波数成分の高い情報を多く含んでいるので、上記撮影画像の圧縮に用いられるＪＰＥＧ方式によって圧縮処理を行うと、圧縮効率が悪く情報量が小さくならず、圧縮及び伸張に必要とされる時間が長くなってしまう。さらに、ＪＰＥＧ方式による圧縮は、非可逆圧縮であるので、情報量の少ない線画情報の圧縮には適していない（伸張してＬＣＤ６上に表示した場合、情報の欠落に伴うギャザ、にじみが際だってしまうため）。
【０１０７】
そこで、本実施の形態においては、ファックス等において用いられるランレングス法によって、線画情報を圧縮するようにしている。ランレングス法とは、線画画面を水平方向に走査し、黒、白、赤、青等の各色の情報（点）の継続する長さ、及び無情報（ペン入力のない部分）の継続する長さを符号化することにより、線画情報を圧縮する方法である。
【０１０８】
このランレングス法を用いることにより、線画情報を最小に圧縮することができ、また、圧縮された線画情報を伸張した場合においても、情報の欠落を抑制することが可能になる。なお、線画情報は、その情報量が比較的少ない場合には、圧縮しないようにすることもできる。
【０１０９】
また、上述したように、ＬＣＤ６上に撮影画像が表示されている場合において、ペン入力を行うと、撮影画像データとペン入力の線画情報がフレームメモリ３５で合成され、撮影画像と線画の合成画像がＬＣＤ６上に表示される。その一方で、メモリカード２４においては、撮影画像データは、撮影画像記録領域に記録され、線画情報は、線画情報記録領域に記録される。このように、２つの情報が、各々異なる領域に記録されるので、ユーザは、撮影画像と線画の合成画像から、いずれか一方の画像（例えば線画）を削除することができ、さらに、各々の画像情報を個別の圧縮方法で圧縮することもできる。
【０１１０】
メモリカード２４の音声記録領域、撮影画像記録領域、または線画情報記録領域にデータを記録した場合、図９に示すように、ＬＣＤ６に所定の表示が行われる。
【０１１１】
図９に示すＬＣＤ６の表示画面上においては、情報を記録した時点の年月日（記録年月日）（この場合、１９９５年８月２５日）が画面の下端部に表示され、その記録年月日に記録された情報の記録時刻が画面の最も左側に表示されている。
【０１１２】
記録時刻の右側には、サムネイル画像が表示されている。このサムネイル画像は、メモリカード２４に記録された撮影画像データの各画像データのビットマップデータを間引いて（縮小して）作成されたものである。この表示のある情報は、撮影画像情報を含む情報である。つまり、「１０時１６分」と「１０時２１分」に記録（入力）された情報には、撮影画像情報が含まれており、「１０時０５分」、「１０時２８分」、「１０時５４分」、「１３時１０分」に記録された情報には、画像情報が含まれていない。
【０１１３】
また、メモ記号「＊」は、線画情報として所定のメモが記録されていることを表している。
【０１１４】
サムネイル画像の表示領域の右側には、音声情報バーが表示され、録音時間の長さに対応する長さのバー（線）が表示される（音声情報が入力されていない場合は、表示されない）。
【０１１５】
ユーザは、図９に示すＬＣＤ６の所望の情報の表示ラインのいずれかの部分を、ペン４１のペン先で押圧して再生する情報を選択指定し、図２に示す実行キー７Ｂをペン４１のペン先で押圧することにより、選択した情報を再生する。
【０１１６】
例えば、図９に示す「１０時０５分」の表示されているラインがペン４１によって押圧されると、ＣＰＵ３９は、選択された録音日時（１０時０５分）に対応する音声データをメモリカード２４から読み出し、その音声データを伸張した後、Ａ／ＤおよびＤ／Ａ変換回路４２に供給する。Ａ／ＤおよびＤ／Ａ変換回路４２は、供給された音声データをアナログ化した後、スピーカ５を介して再生する。
【０１１７】
メモリカード２４に記録した撮影画像データを再生する場合、ユーザは、所望のサムネイル画像を、ペン４１のペン先で押圧することによりその情報を選択し、実行キー７Ｂを押して選択した情報を再生させる。
【０１１８】
ＣＰＵ３９は、選択された撮影日時に対応する撮影画像データをメモリカード２４から読み出すように、ＤＳＰ３３に指示する。ＤＳＰ３３は、メモリカード２４より読み出された撮影画像データ（圧縮されている撮影画像データ）を伸張し、この撮影画像データをビットマップデータとしてフレームメモリ３５に蓄積させ、ＬＣＤ６に表示させる。
【０１１９】
Ｓモードで撮影された画像は、ＬＣＤ６上に、静止画像として表示される。この静止画像は、ＣＣＤ２０の全ての画素の画像信号を再生したものであることはいうまでもない。
【０１２０】
Ｌモードで撮影された画像は、ＬＣＤ６上において、１秒間に８コマの割合で連続して表示される。このとき、各コマに表示される画素数は、ＣＣＤ２０の全画素数の４分の１である。
【０１２１】
通常、人間の目は、静止画像の解像度の劣化に対しては敏感に反応するため、静止画像の画素を間引くことは、ユーザに画質の劣化として捉えられてしまう。しかしながら、撮影時の連写速度が上がり、Ｌモードにおいて１秒間に８コマ撮影され、この画像が１秒間に８コマの速さで再生された場合においては、各コマの画素数がＣＣＤ２０の画素数の４分の１になるが、人間の目は１秒間に８コマの画像を観察するので、１秒間に人間の目に入る情報量は、静止画像の場合に比べて２倍になる。
【０１２２】
すなわち、Ｓモードで撮影された画像の１コマの画素数を１とすると、Ｌモードで撮影された画像の１コマの画素数は１／４となる。Ｓモードで撮影された画像（静止画像）がＬＣＤ６に表示された場合、１秒間に人間の目に入る情報量は１（＝（画素数１）×（コマ数１））となる。一方、Ｌモードで撮影された画像がＬＣＤ６に表示された場合、１秒間に人間の目に入る情報量は２（＝（画素数１／４）×（コマ数８））となる（すなわち、人間の目には、静止画像の２倍の情報が入る）。従って、１コマ中の画素の数を４分の１にしても、再生時において、ユーザは、画質の劣化をさほど気にすることなく再生画像を観察することができる。
【０１２３】
さらに、本実施の形態においては、各コマ毎に異なる画素をサンプリングし、そのサンプリングした画素をＬＣＤ６に表示するようにしているので、人間の目に残像効果が起こり、１コマ当たり４分の３画素を間引いたとしても、ユーザは、画質の劣化をさほど気にすることなくＬＣＤ６に表示されるＬモードで撮影された画像を観察することができる。
【０１２４】
また、Ｈモードで撮影された画像は、ＬＣＤ６上において、１秒間に３０コマの割合で連続して表示される。このとき、各コマに表示される画素数は、ＣＣＤ２０の全画素数の９分の１であるが、Ｌモードの場合と同様の理由で、ユーザは、画質の劣化をさほど気にすることなくＬＣＤ６に表示されるＨモードで撮影された画像を観察することができる。
【０１２５】
本実施の形態においては、Ｌモード及びＨモードで被写体を撮像する場合、画像処理部３１が、再生時における画質の劣化が気にならない程度にＣＣＤ２０の画素を間引くようにしているので、ＤＳＰ３３の負荷を低減することができ、ＤＳＰ３３を、低速度、低電力で作動させることができる。また、このことにより、装置の低コスト化及び低消費電力化が可能になる。
【０１２６】
ところで、本実施の形態の電子カメラ１は、図１０に示すように、プリンタ接続端子１８を介して外部のプリンタ１００と接続し、撮影した画像をプリントアウトすることも可能である。ところで、プリンタ１００により印刷を行う際には、各種設定を行う必要があるが、以下では、先ず、そのような設定について説明した後、続いて、印刷する際の処理について説明する。
【０１２７】
図１１は、モード設定処理の一例を説明するフローチャートである。この処理は、メニューキー７Ａが操作されることにより表示されるメニュー画面（図示せず）において、処理項目「モード設定」が選択された場合に実行されるようになされている。
【０１２８】
この処理が実行されると、電子カメラ１のＣＰＵ３９は、ステップＳ１において、露光モードの設定を行う。即ち、ＣＰＵ３９は、ＬＣＤ６に対して図１２に示すような入力画面を表示させ、露光モードの設定を受け付ける。この表示例では、「露光モード設定」というタイトルの下に表示されている「オート露光」または「マニュアル露光」の何れかをチェックすることにより、所望のモードを選択することができる。なお、オート露光モードとは、シャッタスピード、絞り値等の設定が自動的に行われるモードであり、一方、マニュアル露光モードとは、シャッタスピード、絞り値等の設定がユーザによって行われるモードである。
【０１２９】
なお、図１２の画面において入力されたデータは、ＣＰＵ３９により読み出されて、メモリカード２４の所定の領域に設定情報として格納されることになる。
【０１３０】
ステップＳ２では、設定が終了したか否かが判定され、その結果、設定が終了していない（ＮＯ）と判定された場合はステップＳ１に戻り、設定が終了するまで前述の場合と同様の処理が繰り返される。また、設定が終了した（ＹＥＳ）と判定された場合にはステップＳ３に進む。
【０１３１】
ステップＳ３では、ＣＰＵ３９は、図１３に示すような画面をＬＣＤ６に表示させ、ホワイトバランスに関する設定値の入力を受け付ける。即ち、撮影を屋外で行う場合には５８００°Ｋを白色点に設定し、また、屋内で撮影を行う場合には３２００°Ｋを白色点に設定し、更に、電子カメラ１に自動的に白色点の設定を行わせる場合にはオートに設定する。なお、設定されたデータは、前述の場合と同様に、メモリカード２４の所定の領域に設定情報として格納されることになる。
【０１３２】
ステップＳ４では、設定が終了したか否かが判定される。その結果、設定が終了していない（ＮＯ）と判定された場合には、ステップＳ３に戻り、設定が終了するまで前述の場合と同様の処理が繰り返される。また、設定が終了した（ＹＥＳ）と判定された場合には処理を終了する（エンド）。
【０１３３】
以上のような処理により、電子カメラ１の撮影時の各種モードを設定することができる。なお、以上のようにして設定された設定情報は、撮影が行われる度に撮影画像に関連づけられてメモリカード２４に記録される。従って、所定の撮影画像を指定すると、その撮影画像を撮影した際の設定情報も参照することが可能となる。
【０１３４】
次に、図１４を参照して、プリンタ１００に関する各種設定を行う処理の説明を行う。
【０１３５】
図１４は、プリンタ１００に関する各種設定を行う場合に実行される処理の一例を説明するフローチャートである。この処理は、メニューキー７Ａが操作されることにより表示されるメニュー画面（図示せず）において、処理項目「プリンタの設定」が選択された場合に実行される。
【０１３６】
この処理が実行されると、ＣＰＵ３９は、ステップＳ２０において、図１５に示すような画面をＬＣＤ６に表示させ、使用するプリンタの機種の設定を受け付ける。
【０１３７】
即ち、図１５の表示例では、「プリンタ設定」というタイトルの下に設定項目「使用するプリンタ」が表示されており、その右隣りにはウィンドウが表示されている。ユーザは、このウィンドウ部分をペン４１により押圧することにより表示されるリスト（図示せず）の中から所望のプリンタを選択する。この例では、選択されたプリンタとして「ＬＢＰ９４２７Ｚ」が表示されている。
【０１３８】
ステップＳ２１では、使用するプリンタの機種の設定が終了したか否かが判定される。その結果、使用するプリンタの機種が設定されていない（ＮＯ）と判定された場合はステップＳ２０に戻り、設定が終了するまで前述の場合と同様の処理が繰り返される。また、使用するプリンタの機種の設定が終了した（ＹＥＳ）と判定された場合にはステップＳ２２に進む。
【０１３９】
ステップＳ２２では、ステップＳ２０において設定されたプリンタの機種に対応するプロファイルが選択される。なお、このプロファイルは、プリントアウトされた画像の色のみえが元の画像のそれと同じになるように、各プリンタが持つ色の特性の偏りを補正する処理プログラムや各種パラメータなどのデータなどから構成されるファイルである。
【０１４０】
続いて、ステップＳ２３では、ＣＰＵ３９は、使用する記録用紙に関する情報の入力を受ける。即ち、図１５に示す設定項目「使用する記録用紙」の右隣りにあるウィンドウをペン４１により押圧することにより表示されるリスト（図示せず）のなかから、所望の記録紙の種類を指定する。この例では、「ハイグレードペーパＡ４」が選択されている。
【０１４１】
そして、ステップＳ２４に進み、記録紙の選択が終了したか否かが判定される。その結果、記録用紙の選択が終了していない（ＮＯ）と判定された場合には、ステップＳ２３に戻り、選択が終了するまで前述の場合と同様の処理が繰り返される。また、記録紙の選択が終了した（ＹＥＳ）と判定された場合には、ステップＳ２５に進むことになる。
【０１４２】
ステップＳ２５では、ＣＰＵ３９は、記録紙に画像を印刷する方向の入力を受ける。即ち、図１５に示すように、設定項目「印刷する方向」の右隣りに表示されているウィンドウをペン４１により押圧することにより表示されるリスト（図示せず）の中から、所望の印刷方向を選択する。この例では、縦方向が選択されている。
【０１４３】
ステップＳ２６では、印刷方向の設定が終了したか否かが判定される。その結果、設定が終了していない（ＮＯ）と判定された場合には、ステップＳ２５に戻り、設定が終了するまで前述の場合と同様の処理が繰り返される。また、設定が終了した（ＹＥＳ）と判定された場合には、処理を終了する（エンド）。
【０１４４】
以上のようにして入力された情報は、メモリカード２４の所定の領域に設定情報として格納され、プリンタ１００が使用される際に参照されることになる。
【０１４５】
次に、以上のような設定が行われた後に、撮影画像をプリンタ１００により印刷する場合の処理について図１６を参照して説明する。
【０１４６】
図１６は、撮影画像をプリンタ１００により印刷する場合の処理の一例を説明するフローチャートである。
【０１４７】
この処理が実行されると、ＣＰＵ３９は、ステップＳ４０において、プリントモードが選択されたか否かを判定する。即ち、ＣＰＵ３９は、メニューキー７Ａが押圧されることにより表示される図１７のメニュー画面において、「ＰＲＩＮＴ  ＯＵＴ」（プリントモード）が選択されたか否かを判定する。その結果、プリントモードが選択されていない（ＮＯ）と判定した場合にはステップＳ４０に戻り、プリントモードが選択されるまで前述の場合と同様の処理を繰り返す。また、プリントモードが選択された（ＹＥＳ）と判定した場合にはステップＳ４１に進む。
【０１４８】
ステップＳ４１では、ＣＰＵ３９は、図９に示すような撮影画像の画像リストをＬＣＤ６に表示させる。そして、ステップＳ４２に進む。
【０１４９】
ステップＳ４２では、ＣＰＵ３９は、図９に示す撮影画像のリスト上において、所定の画像が選択されたか否かを判定する。即ち、ＣＰＵ３９は、図９に示す撮影画像のリスト画面において、所定のサムネイル画像がペン４１によりピックされた後、実行キー７Ｂが押圧されたか否かを判定する。その結果、所定の撮影画像が選択されていない（ＮＯ）と判定した場合は、ステップＳ４２に戻り、画像が指定されるまで前述の場合と同様の処理を繰り返す。また、所定の画像が指定された（ＹＥＳ）と判定した場合には、ステップＳ４３の処理に進む。
【０１５０】
ステップＳ４３では、ＣＰＵ３９は、選択された画像がオート露光モードにより撮影されたか否かを判定する。即ち、ＣＰＵ３９は、選択された画像の設定情報をメモリカード２４から読み出し、その画像がオート露光モードにより撮影されたか否かを判定する。その結果、選択された画像がオート露光モードで撮影されている（ＹＥＳ）と判定した場合は、ステップＳ４４に進む。また、オート露光モードで撮影されていない（ＮＯ）と判定した場合にはステップＳ４５に進む。
【０１５１】
ステップＳ４４の処理はサブルーチンとなっており、その詳細を図１８を参照して説明する。
【０１５２】
図１６に示すステップＳ４４の処理が実行されると、図１８に示す処理が呼び出されて実行されることになる。この処理が実行されると、ステップＳ６０において、ＣＰＵ３９は、撮影環境に関する情報（以下、撮影環境情報と略記する）の読み出しを行う。即ち、ＣＰＵ３９は、メモリカード２４に記憶されている撮影環境情報を読み出す。なお、この撮影環境情報は、前述したように、例えば、撮影時にストロボが使用されたか否かを示す情報や、逆光状態であるか否かを示す情報により構成されている。
【０１５３】
ステップＳ６１では、ＣＰＵ３９は、撮影環境情報を参照して、選択された撮影画像がストロボの使用下で撮影されているか否かを判定する。その結果、ストロボが使用されていない（ＮＯ）と判定した場合はステップＳ６３に進み、また、ストロボが使用されている（ＹＥＳ）と判定した場合にはステップＳ６２に進む。
【０１５４】
ステップＳ６２では、ＣＰＵ３９は、図１４のステップＳ２２において選択されたプリンタのプロファイルに含まれているストロボに対する補正処理のプログラムを起動して、印刷しようとする画像データに対して補正処理を行う。なお、この補正処理は、画像の青色成分を減退させる処理である。即ち、ストロボが使用された場合には、画像に含まれている青色成分が強調されることになるので、それを補正するために青色成分を減退させる処理を行うのである。
【０１５５】
ステップＳ６３では、ＣＰＵ３９は、撮影環境情報を参照して、印刷しようとする画像が逆光の状態で撮影されたか否かを判定する。その結果、逆光の状態で撮影されていない（ＮＯ）と判定した場合はステップＳ４４の処理へ復帰（リターン）する。また、逆光の状態で撮影された（ＹＥＳ）と判定した場合には、ステップＳ６４に進む。
【０１５６】
ステップＳ６４では、ＣＰＵ３９は、図１４のステップＳ２２において選択したプリンタのプロファイルに含まれている逆光に対する補正処理のプログラムを起動して、印刷しようとする画像データに対して補正処理を行う。なお、この補正処理は、暗い部分に対する階調を増加させる処理である。即ち、逆光の状態で撮影された場合は、被写体が黒く写る（暗い部分の階調により表現される）ことになるので、暗い部分に対応する階調を増加させることにより、被写体をより細密に表現し、被写体を際だたせる処理を行うのである。
【０１５７】
ステップＳ６４の処理が終了すると、図１６のステップＳ４５の処理に復帰（リターン）することになる。
【０１５８】
なお、図１８に示す処理は、ステップＳ４３の分岐処理により、撮影画像がオート露光モードで撮影された場合にのみ実行されるようになされている。このように、撮影環境に応じた補正処理を、オート露光モードで撮影された画像のみに限定して施すのは、マニュアル露光モードで撮影された画像は、ユーザの何らかの企図に基づいて設定がなされているため、このような画像に対して自動的に補正処理を行うと、ユーザの意図を無視することになりかねないからである。
【０１５９】
図１６に戻って、ステップＳ４５では、ＣＰＵ３９は、図１８の処理により補正処理が施された画像データをメモリカード２４の所定の領域（プリントアウト用の画像を一時的に格納する領域）に格納し、ステップＳ４６に進む。
【０１６０】
ステップＳ４６の処理はサブルーチン処理となっているので、その詳細を図１９を参照して説明する。
【０１６１】
図１６のステップＳ４６の処理が実行されると、図１９に示す処理が呼び出されて実行されることになる。この処理が実行されると、ステップＳ７０では、ＣＰＵ３９は、ＬＣＤ６に画像データを表示させる場合に必要な種々の補正プログラムやデータからなるＬＣＤ用プロファイルをメモリカード２４から読み出す。そして、ステップＳ７１に進む。
【０１６２】
ステップＳ７１では、ＣＰＵ３９は、撮影環境に応じて補正処理が施された画像データをメモリカード２４から読み出し、ステップＳ７０において読み出したＬＣＤ用プロファイルに基づいて変換処理を施す。即ち、ＣＰＵ３９は、ＬＣＤ６に表示される画像の色のみえを元の画像のそれに近づけるため、ＬＣＤ６の表示特性に応じた補正処理を画像データに対して施す。
【０１６３】
ステップＳ７２では、ＣＰＵ３９は、現在の視環境に関する情報（以下、視環境情報と略記する）を取得する。即ち、ＣＰＵ３９は、測色回路５２から出力される現在の色温度に関する情報と、測光回路５１から出力される現在の光量に関する情報とを取得する。
【０１６４】
続いて、ステップＳ７３では、ＣＰＵ３９は、ステップＳ７０において読み出したＬＣＤ用プロファイルに含まれている、視環境に応じた変換処理のプログラムを起動し、ステップＳ７２において取得した視環境情報を参照して、ステップＳ７１において変換処理が施された画像データに対して更に変換処理を施す。なお、この処理は、例えば、測色回路５２から出力された色温度に関する情報に応じてホワイトバランス値を再設定したり、測光回路５１から出力される光量に関する情報に応じて輝度や階調などを補正する処理である。
【０１６５】
なお、視環境に応じた変換処理を行う理由は、ＬＣＤ６に表示される画像の色のみえは、その周囲光の色温度や輝度（視環境）により変化するので、視環境に応じた補正処理を行う必要があるためである。
【０１６６】
ステップＳ７３の処理が終了すると、図１６のステップＳ４７の処理に復帰（リターン）することになる。
【０１６７】
図１６に戻って、ステップＳ４７では、ＣＰＵ３９は、図１９に示す処理によりＬＣＤ６の表示特性と視環境による補正処理が施された画像データを、図２１に示すようにＬＣＤ６に表示させる。このようにして表示された画像は、ＬＣＤ６の表示特性による影響や視環境による影響を最小限に抑制することができるので、元の画像に近い色のみえを実現することができる。そしてステップＳ４８に進む。
【０１６８】
ステップＳ４８の処理は、サブルーチン処理とされており、その詳細について図２０を参照して説明する。
【０１６９】
図１６のステップＳ４８の処理が実行されると、図２０に示す処理が呼び出されて実行されることになる。この処理が実行されると、ステップＳ８０において、ＣＰＵ３９は、図１４のステップＳ２０において選択されたプリンタに対応するプロファイルをメモリカード２４から読み込み、ステップＳ８１に進む。
【０１７０】
ステップＳ８１では、ＣＰＵ３９は、ステップＳ４５においてメモリカード２４に格納された画像データ（撮影環境に応じた補正処理が施された画像データ）を読み出し、ステップＳ８０において読み出されたプリンタ用プロファイルにより変換処理を施す。なお、この変換は、前述のように、プリンタ１００の表示特性に起因する色のみえのずれを補正するためのものである。
【０１７１】
続くステップＳ８２では、ＣＰＵ３９は、図１４のステップＳ２３の処理において入力された記録紙の種類に対応するホワイトバランス値をメモリカード２４から読み出す。そして、ステップＳ８３に進む。
【０１７２】
ステップＳ８３では、ＣＰＵ３９は、ステップＳ８０において読み出したプリンタ用プロファイルに含まれている記録紙に応じた補正処理プログラムに対して記録紙のホワイトバランス値をパラメータとして与え、画像データに対して補正処理を施す。
【０１７３】
なお、このようにして記録紙の種類に応じて画像データに補正処理を施すのは、記録紙のホワイトバランス値によって、印刷された画像の色のみえが異なることを防止するためである。
【０１７４】
ステップＳ８３の処理が終了すると、図１６のステップＳ４９の処理に復帰（リターン）することになる。
【０１７５】
ステップＳ４９では、ＣＰＵ３９は、画像に対してユーザが手入力により補正を行うマニュアル補正処理を行うか否かを判定する。即ち、ＣＰＵ３９は、図２１に示すように、印刷しようとする画像が表示されている画面上において、ユーザがメニューキー７Ａを押圧したか否かを判定する。その結果、メニューキー７Ａが押圧されていない（ＮＯ）と判定した場合は、ステップＳ５１の処理に進む。また、メニューキー７Ａが押圧された（ＹＥＳ）と判定した場合にはステップＳ５０に進む。
【０１７６】
ステップＳ５０では、ＣＰＵ３９は、マニュアル補正処理のメニュー（図示せず）を画面の一部に表示させ、処理項目の選択を受け付ける。なお、このマニュアル補正処理としては、例えば、ホワイトバランス値の調節、輝度の調節、または、階調の調節などが選択可能とされている。
【０１７７】
そして、マニュアル補正処理が終了すると、ステップＳ４３の処理に戻って、前述の場合と同様の処理が繰り返されることになる。
【０１７８】
ステップＳ４９において、ＮＯと判定された場合には、ステップＳ５１に進み、補正処理が施された画像データが、プリンタ１００に出力される。なお、このとき、ＣＰＵ３９は、図１４のステップＳ２３，２５において設定された、記録紙のサイズや印刷方向を参照して、画像が記録紙に収まるように、必要ならば画像を縮小または拡大した後、出力する。
【０１７９】
以上のような実施の形態によれば、先ず、撮影環境に応じて撮影画像に補正処理を施し、続いて、各表示装置の表示特性に応じて画像データに補正処理を施して表示出力するようにしたので、元の画像に近い色のみえを実現することが可能となる。
【０１８０】
また、ＬＣＤ６では、装置の表示特性だけではなく、視環境に応じて画像データを補正処理するようにし、また、プリンタ１００では、記録紙の種類に応じて画像データの補正処理を施すようにしたので、ＬＣＤ６に表示される画像と同じ色のみえの画像をプリンタ１００によりプリントアウトすることが可能となる。
【０１８１】
次に、図２２を参照して、同じ撮影環境下で撮影された撮影画像を一括してプリンタ１００に出力する処理について説明する。
【０１８２】
図２２は、同じ環境下で撮影された撮影画像を検索し、得られた撮影画像を一括してプリンタ１００に出力する処理の一例を説明するフローチャートである。この処理が実行されると、電子カメラ１のＣＰＵ３９は、ステップＳ９０において、図２３に示すような入力画面をＬＣＤ６に表示させ、検索条件の入力を受ける。この表示例では、「撮影条件検索」というタイトルの下に、検索条件として「逆光」または「ストロボ使用」が表示されている。例えば、逆光を検索条件とする場合には、この図に示すように、「逆光」の左隣りに表示されている四角形の中をチェックする。もちろん、検索条件として、「逆光」、「ストロボ使用」以外に、例えば、「記録年月日」、「記録時刻」であってもよい。
【０１８３】
ステップＳ９１では、ステップＳ９０において入力された検索条件を参照して、メモリカード２４に記録されている撮影環境情報を検索し、検索条件に該当する撮影画像を取得する。
【０１８４】
続くステップＳ９２では、ＣＰＵ３９は、ステップＳ９１で取得した撮影画像をリスト形式でＬＣＤ６に表示させる（図示せず）。そして、ステップＳ９３に進む。
【０１８５】
ステップＳ９３では、ＣＰＵ３９は、印刷を指定する所定の入力がなされたか否かを判定する。即ち、ＣＰＵ３９は、実行キー７Ｂが押圧されたか否かを判定する。その結果、実行キー７Ｂが押圧されていない（ＮＯ）と判定した場合は、処理を終了し（エンド）、また、実行キー７Ｂが押圧された（ＹＥＳ）と判定した場合にはステップＳ９４に進む。
【０１８６】
ステップＳ９４では、ＣＰＵ３９は、検索条件に対応する補正処理を実行する。即ち、検索条件が「逆光」である場合には、逆光を補正するための処理（図１８のステップＳ６４の処理）を各画像データに対して施す。また、検索条件が「ストロボ使用」である場合には、図１８に示すステップＳ６２の処理を各画像データに対して施す。
【０１８７】
ステップＳ９５では、ＣＰＵ３９は、図１４のステップＳ２０において指定されたプリンタに対応するプロファイルをメモリカード２４から読み出し、図２０に示す処理に従って、ステップＳ９１で検索された撮影画像の各々に対して変換処理を施す。
【０１８８】
続くステップＳ９６では、ＣＰＵ３９は、ステップＳ９５において変換処理が施された撮影画像のデータをプリンタ１００に対して出力する。
【０１８９】
以上の処理によれば、同一の補正処理が必要な撮影画像に対して一括して処理を行い、プリンタ１００に対して出力することが可能となるので、変換処理に必要な時間を短縮することが可能となる。
【０１９０】
なお、図１１、図１４、図１６、図１８乃至図２０、および、図２２に示すプログラムは、メモリカード２４に記憶されている。これらのプログラムは、予めメモリカード２４に記憶された状態で使用者に供給されてもよいし、メモリカード２４にコピー可能なようにＣＤ−ＲＯＭ（Compact Disc-ROM）などに記憶された状態で使用者に供給されてもよい。
【０１９１】
また、図１９を用いて説明したように、本実施の形態においては、ＬＣＤ用プロファイル、視環境情報を使用して、画像に処理を施すことにより、ＬＣＤに対する見えかたを補正した。画像に処理を施すことなくＬＣＤ自体のカラー、明るさのバランスを調整するようにしてもよい。
【０１９２】
なお、上記したような処理を行うコンピュータプログラムをユーザに提供するには、磁気ディスク、ＣＤ−ＲＯＭ、固体メモリなどの記録媒体に記録して提供する他、ネットワーク、衛星などの通信媒体を介して伝送したものを、所定の記録媒体に記録させることで提供することができる。
【０１９３】
【発明の効果】
請求項１に記載の電子カメラ、請求項４に記載の電子カメラの制御方法、および、請求項５に記載の記録媒体によれば、被写体の光画像を対応する画像データに変換し、得られた画像データを記録し、記録されている所望の画像データを読み出し、読み出された画像データを印刷する所望のプリンタを選択し、読み出された画像データに対して、選択されたプリンタに対応する画像処理を施し、画像処理が施された画像データを、選択されたプリンタに対して出力するようにしたので、プリンタの印刷特性に影響を受けることなく、同じ色の見えの画像をプリンタに印刷させることが可能となる。
【０１９４】
請求項６に記載の電子カメラ、請求項９に記載の電子カメラの制御方法、および、請求項１０に記載の記録媒体によれば、被写体の光画像を対応する画像データに変換し、得られた画像データを記録し、記録されている画像データの中から所望の画像データを読み出し、読み出された画像データに基づく画像を表示装置に表示し、読み出された画像データを印刷するプリンタを選択し、選択されたプリンタに印刷される画像と、表示装置に表示される画像の色の見えが同じになるように処理を施すようにしたので、プリンタに印刷される画像の色の見えを、表示装置に表示される画像のそれに近づけることが可能となる。
【０１９５】
請求項１１に記載の電子カメラ、請求項１２に記載の電子カメラの制御方法、および、請求項１３に記載の記録媒体によれば、被写体の光画像を対応する画像データに変換し、被写体が撮影された際の撮影環境データを取得し、変換により得られた画像データに撮影環境データを関連づけて記録し、所望の撮影環境データが入力され、入力された撮影環境データに対応する画像データを検索し、検索された画像データをプリンタに出力するようにしたので、同一の処理が必要な画像に対して一括して画像処理を施すことが可能となり、その結果、画像処理に必要な時間を短縮することが可能となる。
【図面の簡単な説明】
【図１】本発明を適用した電子カメラの一実施の形態の正面から見た場合の構成を示す斜視図である。
【図２】図１に示す電子カメラ１の背面から見た場合の構成を示す斜視図である。
【図３】ＬＣＤカバー１４を閉じた状態の電子カメラ１を示す斜視図である。
【図４】図１及び図２に示す電子カメラ１の内部の構成を示す斜視図である。
【図５】ＬＣＤカバー１４の位置と、電源スイッチ１１及びＬＣＤスイッチ２５の状態との関係を説明する図である。
【図６】図１及び図２に示す電子カメラの内部の電気的構成を示すブロック図である。
【図７】Ｌモード時における画素の間引き処理を説明する図である。
【図８】Ｈモード時における画素の間引き処理を説明する図である。
【図９】図１及び図２に示す電子カメラの表示画面の例を示す図である。
【図１０】電子カメラにプリンタを接続した場合の接続関係を示す図である。
【図１１】電子カメラの撮影モードの設定を行う処理の一例を説明するフローチャートである。
【図１２】図１１のステップＳ１の処理が実行された場合にＬＣＤに表示される画像の表示例である。
【図１３】図１１のステップＳ３の処理が実行された場合にＬＣＤに表示される画像の表示例である。
【図１４】プリンタの設定を行う処理の一例を説明するフローチャートである。
【図１５】図１４に示す処理が実行された場合に表示される画像の表示例である。
【図１６】撮影画像を印刷する場合に実行される処理の一例を説明するフローチャートである。
【図１７】図１６のステップＳ４０が実行された場合にＬＣＤに表示される画像の表示例である。
【図１８】図１６のステップＳ４４の詳細を説明するフローチャートである。
【図１９】図１６のステップＳ４６の詳細を説明するフローチャートである。
【図２０】図１６のステップＳ４８の詳細を説明するフローチャートである。
【図２１】図１６のステップＳ４７が実行された場合にＬＣＤに表示される画像の表示例である。
【図２２】電子カメラ１において実行される条件検索による印刷処理の一例を説明するフローチャートである。
【図２３】図２２のステップＳ９０の処理が実行された場合にＬＣＤに表示される画像の表示例である。
【符号の説明】
１  電子カメラ
２  ファインダ
３  撮影レンズ
４  発光部
５  スピーカ
６  ＬＣＤ
６Ａ  タッチタブレット（選択手段、入力手段）
７  操作キー
７Ａ  メニューキー
７Ｂ  実行キー
７Ｃ  クリアキー
７Ｄ  キャンセルキー
７Ｅ  スクロールキー
８  マイクロホン
９  イヤホンジャック
１０  レリーズスイッチ
１１  電源スイッチ
１２  録音スイッチ
１３  連写モード切り換えスイッチ
１５  赤目軽減ランプ
１６  測光素子（入力手段）
１７  測色素子（入力手段）
２０  ＣＣＤ（変換手段）
２１  バッテリ
２２  コンデンサ
２３  回路基板
２４  メモリカード（記録手段、第２の記録手段）
２５  ＬＣＤスイッチ
２６  ファインダ内表示素子
３０  レンズ駆動回路
３１  画像処理部
３２  アナログ／デジタル変換回路
３３  デジタルシグナルプロセッサ（ＤＳＰ）
３４  ＣＣＤ駆動回路
３５  フレームメモリ
３６  バッファメモリ
３７  ストロボ駆動回路
３８  赤目軽減ランプ駆動回路
３９  ＣＰＵ（読み出し手段、処理手段、出力手段、取得手段、第２の処理手段、制御手段、検索手段）
４０  ファインダ内表示回路
４２  Ａ／ＤおよびＤ／Ａ変換回路
４５  タイマ
４８  インタフェース
５１  測光回路
５２  測色回路
５３  絞り駆動回路
５４  絞り
【図１】
0003899497.tif 000002
【図２】
0003899497.tif 000003
【図３】
0003899497.tif 000004
【図４】
0003899497.tif 000005
【図５】
0003899497.tif 000006
【図６】
0003899497.tif 000007
【図７】
0003899497.tif 000008
【図８】
0003899497.tif 000009
【図９】
0003899497.tif 000010
【図１０】
0003899497.tif 000011
【図１１】
0003899497.tif 000012
【図１２】
0003899497.tif 000013
【図１３】
0003899497.tif 000014
【図１４】
0003899497.tif 000015
【図１５】
0003899497.tif 000016
【図１６】
0003899497.tif 000017
【図１７】
0003899497.tif 000018
【図１８】
0003899497.tif 000019
【図１９】
0003899497.tif 000020
【図２０】
0003899497.tif 000021
【図２１】
0003899497.tif 000022
【図２２】
0003899497.tif 000023
【図２３】
0003899497.tif 000024